(57)【要約】【課題】本発明は、導光体を有する照明装置に関するもので、光源の熱劣化を抑制することを目的とするものである。【解決手段】そして、この目的を達成するために本発明は、伝熱材料よりなるベース３と、このベース３の表面側に配置した導光体８０と、前記ベース３の表面側において前記導光体８０の入光面にその発光部を対向させて配置した光源７２と、を備え、前記ベース３の表面側で、前記光源７２の放熱部に対応する部分を、このベース３の表面側に曲げ起こして突片部３１（放熱片の一例）を設け、この突片部３１（放熱片の一例）と前記光源７２の放熱部を熱的に接続した。【選択図】図２
2014232624.tif 000002
【特許請求の範囲】
【請求項１】
伝熱材料よりなる取り付けベースと、この取り付けベースの表面側に配置した導光体と、前記取り付けベースの表面側において前記導光体の入光面にその発光部を対向させて配置した光源と、を備え、
前記取り付けベースの表面側で、前記光源の放熱部に対応する部分を、この取り付けベースの表面側に曲げ起こして放熱片を設け、この放熱片と前記光源の放熱部を熱的に接続した照明装置。
【請求項２】
取り付けベースを金属板または、伝熱性材料を混入した合成樹脂によって形成した請求項１に記載の照明装置。
【請求項３】
放熱片の取り付けベースからの曲げ起こし部には、この取り付けベースの裏面との間に形成される隙間を設けた請求項１または２に記載の照明装置。
【請求項４】
取り付けベースの、光源に対して曲げ起こし部とは反対側に、この取り付けベースを取り付け面に取り付けるための貫通孔を設けた請求項１から３のいずれか一つに記載の照明装置。
【発明の詳細な説明】
【技術分野】
【０００１】
本発明は、棒状の導光体を備えた照明装置に関する。
【背景技術】
【０００２】
近年、導光体を用いた照明装置が提案され、脚光を浴びている。すなわち、光源が１つまたは２つという少ない状態でもこの光源からの光を導光体に導入することで広い部分の照明を行うことができるようになるのである。具体的には、伝熱材料よりなる取り付けベースと、この取り付けベースの表面側に配置した導光体と、前記取り付けベースの表面側において前記導光体の入光面にその発光部を対向させて配置した光源と、を備えた構成となっていた（例えば、これに類似する先行文献としては、下記特許文献１が存在する）。
【先行技術文献】
【特許文献】
【０００３】
【特許文献１】特開２００５−１９８１０６号公報
【発明の概要】
【発明が解決しようとする課題】
【０００４】
上記従来例における課題は、光源が長期使用により熱劣化してしまうということであった。すなわち、導光体で光を広げるためには、この光源としては輝度の高いものを用いなければならず、この場合には、光源は高温となり、長期使用により熱劣化してしまうのであった。
【０００５】
そこで本発明は、光源の熱劣化を抑制することを目的とするものである。
【課題を解決するための手段】
【０００６】
そして、この目的を達成するために、本発明は、伝熱材料よりなる取り付けベースと、この取り付けベースの表面側に配置した導光体と、前記取り付けベースの表面側において前記導光体の入光面にその発光部を対向させて配置した光源と、を備え、前記取り付けベースの表面側で、前記光源の放熱部に対応する部分を、この取り付けベースの表面側に曲げ起こして放熱片を設け、この放熱片と前記光源の放熱部を熱的に接続し、これにより所期の目的を達成するものである。
【発明の効果】
【０００７】
以上の様に本発明は、伝熱材料よりなる取り付けベースと、この取り付けベースの表面側に配置した導光体と、前記取り付けベースの表面側において前記導光体の入光面にその発光部を対向させて配置した光源と、を備え、前記取り付けベースの表面側で、前記光源の放熱部に対応する部分を、この取り付けベースの表面側に曲げ起こして放熱片を設け、この放熱片と前記光源の放熱部を熱的に接続したので、光源の熱劣化を抑制することができる。
すなわち、本発明においては、前記取り付けベースの表面側で、前記光源の放熱部に対応する部分を、この取り付けベースの表面側に曲げ起こして放熱片を設け、この放熱片と前記光源の放熱部を熱的に接続したので、光源の熱はその放熱部から放熱片、取り付けベースへとスムーズに拡散し、その結果としてこの光源が高温状態となることはなく、その結果として光源の熱劣化を抑制することができるのである。
【図面の簡単な説明】
【０００８】
【図１】本発明の一実施形態の照明装置であって、表面カバー及び拡散カバーの図示を省略した斜視図である。
【図２】同上の照明装置の斜視図である。
【図３】同上の照明装置を壁に取り付けた状態を示す断面図である。
【図４】同上の照明装置の分解斜視図である。
【図５】同上のベース及び光源ブロックを示し、（ａ）はベースの長手方向外側から見たときの分解斜視図であり、（ｂ）はベースの前側から見たときの分解斜視図である。
【図６】同上の光源収納体の斜視図である。
【図７】同上のベース及びこれに取り付けた光源ブロックの斜視図である。
【図８】照明装置を並べて配置したときの対向部分を示し、表面カバーの図示を省略した斜視図である。
【発明を実施するための形態】
【０００９】
以下、添付図面に基づいて本発明の一実施形態について説明する。本実施形態の照明装置１は、図２に示されるように長尺棒状に形成されている。照明装置１は、図３に示されるように部屋、廊下、階段等の壁２０に取り付けられて、床面や踏面を照らすために用いられる。照明装置１を部屋や廊下の壁２０に施工する場合、照明装置１は、例えばその長手方向が床面に対して平行になるように水平に取り付けられる。また、照明装置１を階段の壁２０に施工する場合、照明装置１は、例えばその長手方向が階段の傾斜と平行になるように傾けて取付けられる  なお、照明装置１は、単独で設けられてもよいし、一直線状になるように複数並べて設けられてもよい。また、照明装置１が取付けられる箇所は、壁２０に限られず、例えば壁２０以外の建材や、洗面化粧台のミラーキャビネット、流し台等に取付けられるものであってもよい。
以下、照明装置１を壁２０（取り付け面の一例）に対して水平に施工した状態における方向を基準にして説明する。具体的には、照明装置１から見て壁２０側を後方、室内側を前方、照明装置１の長手方向を左右方向として説明する。
【００１０】
照明装置１は、図４に示されるように、ベース３（取り付けベースの一例）、光源ブロック７、導光体ブロック８、拡散カバー５、及び表面カバー６を備えている。また、照明装置１は、例えば長手方向の片側に他の照明装置１が設けられない場合等には、エンドキャップ９をさらに備える。
【００１１】
ベース３は左右に長い長尺な部材であって、アルミニウム製の押出成形品を加工して製造されたものである。ベース３の線膨張係数は、導光体ブロック８を構成する導光体８０及びホルダー８１よりも小さい。なお、ベース３は、アルミニウム製に限られず、ステンレスや鉄等のその他の金属、あるいは合成樹脂等で形成されるものであってもよい。
【００１２】
ベース３は、左右に長い帯板状のベース板部３０と、ベース板部３０の長さ方向（左右方向）の両側に、一体に設けられた突片部３１を有している。
【００１３】
照明装置１の背面を構成するベース板部３０は、例えば図３に示されるように、取付面となる壁２０に沿って配置される。このベース板部３０は、ビス２５を用いて壁２０に固着される。すなわち、ベース板部３０は、照明装置１において取付面となる壁２０に取付けられる部分となる。
【００１４】
ベース３の長さ方向の両側部分には、図５に示されるように、突片部３１が形成されている。各突片部３１は、ベース板部３０の長さ方向の両端部を前方（ベース３の表面上）に折曲して形成されており、ベース板部３０と一体に形成されている。両突片部３１は、ベース板部３０の左右方向の両端部から前方に向かって突出し、互いに対向している。
【００１５】
各突片部３１には、図７に示されるように、光源ブロック７が取り付けられる。すなわ
ち、本実施形態では、ベース３において光源ブロック７が取付けられる取付部が、各突片部３１によって構成されている。図５に示されるように、各光源ブロック７は、光源収納体７０、回路基板７４、光源７２、及び伝熱シート７３を有している。
【００１６】
光源収納体７０は、回路基板７４及びこれに設けられた光源７２を収納するためのケースである。光源収納体７０は、例えば反射率の高いポリプロピレン等の高反射材料によって形成される。光源収納体７０は、左右方向から見て突片部３１と略同大同形となる略ブロック状に形成されている。光源収納体７０は、対応する突片部３１に対向するように、当該突片部３１の内側（ベース３の長手方向中央部側）に配置される。
【００１７】
光源収納体７０には、左右方向に貫通する収納孔７００が形成されている。収納孔７００は、基板用凹所７０１、貫通孔７０２、及び導光体用凹所７０３で構成されている。基板用凹所７０１、貫通孔７０２、及び導光体用凹所７０３は、この順序で左右方向において対応する突片部３１側から並べて形成されている。
【００１８】
基板用凹所７０１は、対応する突片部３１側に向かって開口している。導光体用凹所７０３は、対応する突片部３１と反対側に向かって開口している。貫通孔７０２は、光源収納体７０において基板用凹所７０１の底部と導光体用凹所７０３の底部を兼ねる部分に形成されている。貫通孔７０２は、左右方向と直交する断面形状が光源７２よりも一回り大きい略円形に形成されている。貫通孔７０２の一端は、基板用凹所７０１の底面から開口し、貫通孔７０２の他端は導光体用凹所７０３の底面から開口している。基板用凹所７０１は、対応する突片部３１側から見て、回路基板７４と合致する矩形状に形成されている。
【００１９】
本実施形態の光源７２は、発光ダイオード（ＬＥＤ）で構成された点光源であって、回路基板７４に実装されている。なお、光源７２は発光ダイオードに限られず、電球等、その他の光源７２であってもよい。
【００２０】
回路基板７４は、光源７２が設けられた面である実装面を貫通孔７０２側に向けた状態で、対応する突片部３１側から基板用凹所７０１に嵌め込まれる。このように基板用凹所７０１に嵌め込まれた回路基板７４は、基板用凹所７０１の内周面によって上下方向及び前後方向の移動が規制される。また、回路基板７４は、貫通孔７０２の基板用凹所７０１側の開口を閉塞し、光源７２は、貫通孔７０２の内周面に囲まれた状態で貫通孔７０２にその全体が収納される。
【００２１】
伝熱シート７３は、シリコーン等の熱伝導性の優れた材料によって形成されたシートである。伝熱シート７３は、回路基板７４と突片部３１との電気的な絶縁を図りながら、光源７２及び回路基板７４で発生した熱を突片部３１に伝える伝熱部材として機能する。
【００２２】
伝熱シート７３は、回路基板７４よりも一回り大きい矩形状に形成されている。伝熱シート７３は、片面が回路基板７４の光源７２と反対側の面に接合され、その周縁部は回路基板７４よりも外側に突出する。伝熱シート７３は、光源収納体７０の対応する突片部３１側の面に沿った状態で、光源収納体７０と対応する突片部３１との間に配置される。
【００２３】
光源収納体７０の下端部の前後には、対応する突片部３１側に突出した位置規制部７０５が形成されている。これに対して、突片部３１の下端部の前後には、切欠部分３１１が形成されている。
【００２４】
光源収納体７０の上端部には、対応する突片部３１側に突出した掛止部７０４が形成されている。これに対して、突片部３１の上端部には、掛止孔３１０が形成されている。
【００２５】
光源収納体７０の上端部には、対応する突片部３１側に開口したねじ穴７０６が複数形成されている。図示例では、掛止部７０４の前後両側にねじ穴７０６が形成されている。これに対し、突片部３１の上端部において各ねじ穴７０６に対応する位置には、左右方向に貫通する挿通孔３１２が形成されている。
【００２６】
光源収納体７０を突片部３１に取り付けるには、位置規制部７０５が対応する切欠部分３１１に配置する。これにより、光源収納体７０は、位置規制部７０５によって前後方向及び上方への移動が規制される。同時に、掛止部７０４を掛止孔３１０の縁部に掛止して固定する。そして、各挿通孔３１２に固着具としてビス２１を挿通し、各ビス２１を対応するねじ穴７０６にねじ込む。これにより、光源収納体７０は、突片部３１に取り付けられる。
【００２７】
このように光源収納体７０を突片部３１に取り付けることで、光源収納体７０における基板用凹所７０１の周囲部と突片部３１とで伝熱シート７３が挟み込まれて左右方向に圧縮される。また、基板用凹所７０１の底面と突片部３１とで、回路基板７４及び伝熱シート７３が挟み込まれ、これにより回路基板７４は、伝熱シート７３を介して対応する突片部３１に熱的に接続される。従って、光源７２で発生した熱は、回路基板７４及び伝熱シート７３を介して対応する突片部３１に伝達されるようになっている。
【００２８】
導光体ブロック８は、図４に示されるように、導光体８０と、導光体８０を保持するホルダー８１とで構成されている。導光体８０は、透光性を有し、左右方向に長い棒状に形成されている。導光体８０は、例えばアクリル樹脂によって形成された押出成形品である。
【００２９】
導光体８０は、図３に示されるように、断面非円形状に形成されており、上端部が幅狭になっている。なお、導光体８０の断面形状はこれに限られず、矩形、円形、楕円形等であってもよい。
【００３０】
導光体８０の長手方向の両端面は、対応する光源７２から発せられた光が入射する入光面８００（図４参照）となっている。図３に示されるように、導光体８０の長手方向に沿う一面である下面は、入光面８００より入射した光の出光面８０１となっている。また、導光体８０の長手方向に沿う一面で且つ出光面８０１と対向する面である上端面は、反射部８０２となっている。
【００３１】
ホルダー８１は、遮光性を有し、左右方向に長い長尺の部材である。ホルダー８１は、導光体８０よりも左右方向の長さが短くなっている。ホルダー８１は、例えばアクリル樹脂によって形成された押出成形品である。ホルダー８１の線膨張係数は、導光体８０よりも大きい。なお、ホルダー８１の材質はアクリル樹脂に限られず、遮光性を有するその他の材料により形成されてもよい。
【００３２】
ホルダー８１には、下方に開口する収納溝部８１０が長手方向に亘って形成されている。図４に示されるように、導光体８０は、長手方向の両端部をホルダー８１よりも左右方向における外側に突出した状態で、収納溝部８１０の内側に嵌め込まれる。これにより導光体８０は、出光面８０１全体を収納溝部８１０から下方に露出させた状態でホルダー８１に保持される。また、導光体８０の長手方向に沿う面のうち、導光体８０の長手方向の両端部を除き且つ出光面８０１を除く部分は、ホルダー８１によって覆われる。なお、ホルダー８１に保持された導光体８０１は、収納溝部８１０に対して左右方向にスライド可能である。
【００３３】
図７に示されるように、各光源収納体７０の下端部において対応する突片部３１と反対側の端部には、導光体用凹所７０３を下方に開口させる開口部７０７が形成されている。これにより、各光源収納体７０の導光体用凹所７０３は、導光体８０の長手方向と直交する同一方向となる下方に開口している。
【００３４】
導光体用凹所７０３の開口部７０７を除く内周面は、導光体８０側から見て、導光体８０の断面形状に合致する形状に形成されている。開口部７０７の前後幅は、導光体８０の最大の前後幅となる出光面８０１の前後幅と略同じである。
【００３５】
図４に示される、ホルダー８１及び導光体８０で構成された導光体ブロック８は、両光源収納体７０の間に配置される。導光体８０のホルダー８１から突出した長手方向の両端部は、対応する導光体用凹所７０３に開口部７０７を介して挿入され、図１に示されるように、対応する導光体用凹所７０３に嵌め込まれる。
【００３６】
導光体用凹所７０３の左右方向と直交する断面形状は、導光体用凹所７０３の左右方向に亘って同じである（図７参照）。このため、導光体８０の長手方向の両端部は、導光体用凹所７０３に対して左右方向にスライド自在に嵌め込まれる。また、導光体用凹所７０３の左右長さは、導光体８０の長さが製造公差等によって長くなった場合にも、導光体用凹所７０３に導光体８０の端部を嵌め込める寸法に設定されている。
【００３７】
図１に示されるように、導光体８０の入光面８００は、対応する光源収納体７０の導光体用凹所７０３の底面に対向して配置される。また、導光体８０の各入光面８００は、対応する光源７２と左右方向に離間して配置され、各入光面８００と対応する光源７２との間には隙間２４が形成さる。
【００３８】
導光体８０には、両光源７２の発光部から発せられた光が対応する入光面８００から入射するようになっている。この光は、導光体８０の長手方向に沿う面で反射しながら、反対側の入光面８００側に向かって進行する。そして、この光は、反対側の入光面８００側に進行する過程で反射部８０２に達し、反射部８０２において拡散、乱反射され、この後、出光面８０１より下側に向けて出射される。
【００３９】
図７に示されるように、各光源収納体７０の導光体用凹所７０３は、左右方向から見て貫通孔７０２よりも大きく形成されている。図１に示されるように、導光体用凹所７０３の底面（貫通孔７０２よりも外周側に位置する部分）は、導光体８０の入光面８００に対向しており、導光体８０が光源７２側に移動したとき等に、導光体８０の入光面８００が光源７２に接触する前に当接するストッパー部７０８となっている。なお、導光体８０が製造誤差等を要因として僅かに長くなることを考慮して、ストッパー部７０８とこれに対応する入光面８００との間には、隙間２３が形成されるようになっている。
【００４０】
ホルダー８１は、長手方向の両端面が、対応する光源収納体７０の導光体８０側の面との間に隙間２２を介して配置される。隙間２２を形成することで、製造公差等によってホルダー８１の長さが長くなったときにも、両光源収納体７０の間にホルダー８１を配置できるようになっている。なお、本実施形態では、ホルダー８１の線膨張係数が導光体８０の線膨張係数よりも大きいことを考慮して、隙間２２は、入光面８００とストッパー部７０８の隙間２３よりも僅かに大きくなるようにしてある。
【００４１】
図３に示されるように、ホルダー８１は、固定部８１１を有している。固定部８１１は断面Ｌ字状に形成されており、その横片部８１２の前端部は、収納溝部８１０と一体に接続されている。断面Ｌ字状の固定部８１１の縦片部８１３は、ベース板部３０の前面に沿って配置される。
【００４２】
ホルダー８１の縦片部８１３は、図示しないビスで構成された複数の固着具を用いてベース板部３０に固着される。これにより、導光体ブロック８は、ベース３に取り付けられる。
【００４３】
図８に示されるように、拡散カバー５は、上下方向に直交する略板状に形成されている。拡散カバー５は、光透過性及び光拡散性を有する半透過材料によって形成されている。拡散カバー５は、例えば乳白色のアクリル樹脂によって形成される。
【００４４】
拡散カバー５は、対応する光源収納体７０に取り付けられる。図１に示されるように、光源収納体７０の下面の前後の縁部は、下方に僅かに突出した突条部７０９が形成されている。両突条部７０９の間には、下方に開口する嵌込用凹部７１０が形成されている。なお、前記した位置規制部７０５は、突条部７０９が突片部３１側に延び出たものである。
【００４５】
導光体用凹所７０３の開口部７０７は、光源収納体７０の両突条部７０９の間の下面（嵌込用凹部７１０の上底面）において、対応する突片部３１と反対側の端部から下方に開口している。両突条部７０９の対向面には、左右方向に長く、対応する突片部３１と反対側に開口した溝部７１１が形成されている。
【００４６】
拡散カバー５は、前後の縁部が対応する突片部３１と反対側から対応する溝部７１１に嵌め込まれることで、光源収納体７０に取り付けられる。このように取り付けられた拡散カバー５は、図８に示されるように、導光体用凹所７０３の開口部７０７を閉塞し、導光体８０の長手方向における端部の出光面８０１、及び、導光体８０の入光面８００と光源収納体７０のストッパー部７０８の間に形成された隙間２３の夫々を覆う。
【００４７】
導光体用凹所７０３の内周面は、前述したように光源収納体７０を高反射材料によって形成することで、反射率の高い反射面となっている。このため、貫通孔７０２に収納された光源７２から発せられた光の一部は、導光体用凹所７０３の内周面を反射し、導光体用凹所７０３の開口部７０７側に向かうようになっている。また、導光体８０の長手方向の両端部における出光面８０１から出射された光も、対応する導光体用凹所７０３の開口部７０７側に向かうようになっている。そして、これら光は、拡散カバー５を透過して、拡散カバー５から光源収納体７０の外側に出射されるようになっている。なお、拡散カバー５は、光を導光体８０の長手方向の外側に向かってのみ拡散させるものに限られず、導光体８０の長手方向の外側に加えてその他の方向を含めて拡散させるようにしてもよい。
【００４８】
拡散カバー５は、形状や材質等を工夫することで、拡散カバー５から下側に向けて出射される光の光軸方向が導光体８０の長手方向の外側に傾くように拡散するようすることが好ましい。このようにすると、図８に示されるように、照明装置１を左右に並べて設置した場合に、拡散カバー５から両照明装置１の継ぎ目の下方部にも光を出射することができ、両照明装置１の継ぎ目において影ができることを防止できる。
【００４９】
図４に示されるように、表面カバー６は、左右方向に長い長尺な部材であって、図３に示されるように、ベース３に取り付けられる。表面カバー６は、後方に開口した断面略Ｃ字状に形成されており、上面部６０、前面部６１、及び下面部６２を有している。上面部６０、前面部６１、及び下面部６２は、夫々、照明装置１の上面、前面、及び下面を構成する。表面カバー６は、上面部６０の後端部をベース３の上端部に掛止し、下面部６２の後端部をベース３の下端部に掛止することで、ベース３に取り付けられる。このように取り付けられた表面カバー６は、光源ブロック７及び導光体ブロック８の夫々の上方、前方、及び下方を覆う。
【００５０】
表面カバー６は、上面部６０及び前面部６１が遮光性を有し、下面部６２が透光性を有している。例えば、表面カバー６は、二色押出成形により形成され、上面部６０及び前面部６１が着色されたＡＢＳ樹脂によって形成され、下面部６２が透明なＡＳＡ樹脂によって形成される。
【００５１】
表面カバー６の下面部６２の上面には、断面三角形状のプリズム部６３が前後に多数並べて形成されている。プリズム部６３は、導光体８０の出光面８０１から出射された光を前側に屈曲させる。このため、導光体８０の出光面８０１から下側に向けて出射された光は、表面カバー６の下面部６２から前斜め下側に向かって出射されるようになっている。なお、表面カバー６の下面部６２は、凹レンズや凸レンズ、フレネルレンズ等のレンズ形状としてもよい。また、プリズム部６３は省略してもよい。
【００５２】
図４に示されるエンドキャップ９は、遮光性を有している。エンドキャップ９は、表面カバー６に装着され、図２に示されるように、表面カバー６の長手方向の両端開口を閉塞する。
【００５３】
以上説明した本実施形態の照明装置１は、光源７２と、前記光源７２が収納される光源収納体７０と、棒状の導光体８０とを備え、前記導光体８０の長手方向の端面が入光面８００とされ、この入光面８００に前記光源７２からの光が入射するように前記入光面８００が前記光源収納体７０の対向位置に配置される照明装置１であって、前記光源収納体７０に前記導光体８０側に開口する収納孔７００が形成され、この収納孔７００に前記光源７２が前記収納孔７００の内周面によって囲まれた状態で収納され、前記導光体８０の前記入光面８００側の端部が、前記収納孔７００に前記導光体８０の長手方向にスライド自在に嵌め込まれ、前記入光面８００が前記光源７２の対向位置に前記光源７２と隙間２４を介して配置され、前記光源収納体７０に、前記光源７２よりも前記導光体８０側に位置して前記入光面８００に対向するストッパー部７０８が形成されたことを特徴とする。
【００５４】
この照明装置１にあっては、製造公差や熱による影響で導光体８０の長さが変化した場合にも、導光体８０の入光面８００側の端部を、光源収納体７０に形成した収納孔７００に嵌め込んでしっかりと固定することができる。そして、導光体８０が光源７２側に移動等したときには、導光体８０の入光面８００を光源７２に接触する前にストッパー部７０８に接触させることができ、導光体８０がそれ以上光源７２側に移動することを防止できる。このため、導光体８０の入光面８００が光源７２に接触して光源７２が破損等することを防止できる。また、光源７２は光源収納体７０の収納孔７００の内周面によって囲まれた状態で収納されるため、光源７２から出た光は、光源収納体７０の外部に漏れ出し難くなる。このため、導光体８０を効率良く発光させることができる。
【００５５】
また、本実施形態のように、前記導光体８０の長手方向に沿う一面が、前記入光面８００から入射した光を出射させる出光面８０１とされ、前記光源収納体７０及び前記光源７２が前記導光体８０の長手方向の両側に夫々配置され、前記各光源収納体７０に開口部７０７が形成され、前記各光源収納体７０の前記収納孔７００の前記導光体８０側の端部が、前記開口部７０７を介して前記導光体８０の長手方向と直交する同一方向に開口させることが好ましい。
【００５６】
このようにすることで、導光体８０の両端部の夫々を、対応する収納孔７００に開口部７０７を介して簡単に嵌め込むことができる。
【００５７】
また、本実施形態のように、前記各光源収納体７０は前記出光面８０１を前記開口部７０７側に向けた状態で前記両光源収納体７０の前記収納孔７００に嵌め込まれ、前記両光源収納体７０の夫々に、光透過性及び光拡散性を有する拡散カバー５が前記開口部７０７
を覆うように取り付けられ、前記導光体８０の長手方向の両端部における前記出光面８０１から出射された光が、対応する前記拡散カバー５で前記導光体８０の長手方向の外側に向かって拡散されて出射されるようにすることが好ましい。
【００５８】
このようにすることで、導光体８０の長手方向の両端部に対応する箇所に影が生じ難くすることができる。特に照明装置１を並べて設置したときに両照明装置１の間に影が生じ難くすることができる。
【００５９】
また、本実施形態のように、前記導光体８０の長手方向に長いベース３を備え、前記ベース３の長手方向における両側に前記光源収納体７０が取り付けられ、前記導光体８０の長手方向に長いホルダー８１をさらに備え、前記導光体８０は、その長手方向に沿う一面が前記入光面８００から入射した光を出射させる出光面８０１としたものであり、この導光体８０が前記ホルダー８１に保持されて、前記導光体８０の長手方向に沿う面のうち前記導光体８０の長手方向の両端部を除き且つ前記出光面８０１を除く部分が前記ホルダー８１によって覆われ、前記導光体８０の長手方向の両端部が、前記ホルダー８１よりも長手方向の外側に向かって突出し、これら突出部分が、対応する前記光源収納体７０の前記収納孔７００に嵌め込まれ、前記ホルダー８１が前記ベース３に取り付けられることが好ましい。
【００６０】
このようにすることで、導光体８０をホルダー８１で保護して、導光体８０の破損等が生じることを防止できる。
【００６１】
また、本実施形態のように、前記導光体８０の長手方向に長い金属製のベース３を備え、このベース３が、長手方向の両端部から突出して互いに対向する取付部を有し、前記光源収納体７０が前記各取付部に取り付けられ、前記両光源収納体７０の間に前記導光体８０が配置されてこの導光体８０の長手方向の両端部が対応する前記光源収納体７０の前記収納孔７００に嵌め込まれ、前記各光源収納体７０に収納された前記光源７２が、対応する前記取付部に熱的に接続されることが好ましい。
【００６２】
このようにすることで、光源７２で発生した熱を光源収納体７０が取付けられる取付部を利用して金属製のベース３に伝えて放散させることができる。また、長い導光体８０を発光させるには光源７２の出力を大きくする必要があるが、この場合、光源７２で発生した熱を導光体８０の長さに対応する長さを有するベース３により適当に放散させることができるといった利点もある。
【００６３】
なお、本実施形態では、導光体８０の長手方向の両端面を入光面８００としているが、一方の端面のみを入光面８００とし、導光体８０の片側にのみ光源７２を設けても構わない。また、本実施形態では、光源収納体７０の収納孔７００の一部を開口部７０７を介して開口させ、開口部７０７を覆う拡散カバー５を設けたが、拡散カバー５は省略可能である。また、収納孔７００は左右方向と直交する方向に開口させないようにしてもよい。また、この他、本発明は上述した実施形態に限定されるものではなく、本発明の趣旨を逸脱しない範囲内で適宜設計可能である。
【００６４】
次に、本実施形態における最も大きな特徴点について説明する。
まず、ベース３は、図３の如く、ビス２５を用いて、壁２０に固定されるものであるが、これはアルミニウム、ステンレス、鉄などの金属板で形成されており、その伝熱効果は極めて高いものである。
また、このベース３を合成樹脂で形成する場合には、その中に伝熱性材料（例えば、導電フィラー）を混入させれば、その伝熱効果は極めて高いものとすることができる。
また、このベース３を金属板や合成樹脂板で形成した場合には、折り曲げ加工も容易に行
えるものである（合成樹脂で一体成型する場合でも、曲げ起こし形状となる）。
そこで、本実施形態では、このベース３から図５に示す如く、突片部３１（放熱片の一例）をこのベース３の表面側へと折り曲げ、ここに伝熱シート７３を介して回路基板７４を熱的に接続している。
この場合、回路基板７４と光源７２は発熱部となるので、このように、伝熱シート７３を介して突片部３１（放熱片の一例）に熱的に接続すれば、この光源７２および回路基板７４で発生する熱は、伝熱シート７３、突片部３１（放熱片の一例）を介して、突片部３１（放熱片の一例）に比べて遥かに広い面積のベース３に、スムーズに拡散させることができ、このベース３は光源７２の放熱部となりうる。
したがって、光源７２および回路基板７４が高温化により熱劣化してしまうのを抑制することができる。
特に、この光源７２をＬＥＤで構成した場合には、その発熱により寿命が大幅に低下してしまうので、これを抑制することができることは、極めて大きな特徴となる。
また、本実施形態においては、突片部３１（放熱片の一例）のベース３からの曲げ起こし部には、図５からも理解されるように、このベース３の裏面との間に形成される隙間Ａが設けられた状態となっている。
この隙間Ａは、ベース３から突片部３１（放熱片の一例）を上方に曲げ起こせば、その下部において形成されるものであって、この突片部３１（放熱片の一例）の下部に隙間Ａが形成されることは、この照明装置１を図３に示す如く、壁２０などに直接取り付ける時に、顕著な効果を奏するものともなる。
すなわち、この突片部３１（放熱片の一例）は、上述の如く、光源７２および回路基板７４からの熱が集中的に伝わってくるものであり、その熱をベース３に拡散させる前に壁２０などに伝わる状況としてしまうと、この突片部３１（放熱片の一例）の下部に対向する壁２０部分が熱により変色などの熱的影響をうける虞がある。
そこで、本実施形態では、突片部３１（放熱片の一例）のベース３からの曲げ起こし部には、図５からも理解されるように、このベース３の裏面との間に形成される隙間Ａを設けたものであり、このような構成とすれば、光源７２および回路基板７４からの熱が突片部３１（放熱片の一例）に集中的に伝わったとしても、この突片部３１（放熱片の一例）から、その直下の壁２０にそれを伝えることはなく、ベース３へとスムーズに拡散させることができる。
つまり、本実施形態の様に、この部分に隙間Ａを設ければ、突片部３１（放熱片の一例）に対応する取り付け部分（本実施形態では壁２０）を熱劣化させることもなくなるのである。
なお、この隙間Ａとは、例えば、ＪＩＳ規格で規定されたコピー用紙を図５（ａ）の右下から挿入することができる程度のもので十分で、これにより、突片部３１（放熱片の一例）に対応する壁２０の取り付け部分の熱劣化を抑制することができるものである。
また、このような隙間Ａは、ベース３の端部に設けた突片部３１（放熱片の一例）を、このベース３の表面側へと曲げ起こすだけで容易に形成することができるものである。ベース３と突片部３１（放熱片の一例）を合成樹脂で形成する場合には、突片部３１（放熱片の一例）の直下に上述の如く、隙間Ａが形成されるように、一体成型する。
【００６５】
また、本実施形態においては、図３のごとく、ベース３を、壁２０に固定するためにビス２５を用いているが、このビス２５が貫通するベース３の貫通孔は、ベース３の光源７２に対して、突片部３１（放熱片の一例）とは反対側に設けることが好ましい。
【００６６】
つまり、このビス２５用の貫通孔を光源７２よりも突片部３１（放熱片の一例）側に設けると、ビス２５を強く締め付けることによって、上述した隙間Ａが狭くなったり、実質的に無くなったりし、その結果として、突片部３１（放熱片の一例）に対応する壁２０の取り付け部分の熱劣化を抑制する効果が小さくなってしまう。
【００６７】
そこで、本実施形態では、ベース３を、壁２０に固定するためのビス２５が貫通するベース３の貫通孔を、ベース３の光源７２に対して、突片部３１（放熱片の一例）とは反対側に設けた。
【００６８】
その結果、突片部３１（放熱片の一例）の根元（下部）においては、壁２０との間に形成される隙間Ａが適切に保持された状態とすることができ、これにより突片部３１（放熱片の一例）に対応する壁２０の取り付け部分の熱劣化を抑制することができるのである。
【符号の説明】
【００６９】
１  照明装置
３  ベース
５  拡散カバー
２４  隙間
３１  突片部（取付部）
７０  光源収納体
７２  光源
８０  導光体
８１  ホルダー
７００  収納孔
７０７  開口部
８００  入光面
８０１  出光面
Ａ  隙間
【図１】
2014232624.tif 000003
【図２】
2014232624.tif 000004
【図３】
2014232624.tif 000005
【図４】
2014232624.tif 000006
【図５】
2014232624.tif 000007
【図６】
2014232624.tif 000008
【図７】
2014232624.tif 000009
【図８】
2014232624.tif 000010